(57)【要約】      （修正有）【課題】携帯及び使用に便利で、また地面上に置くと、雪花噴射状態のシャボン玉出し効果ができる、シャボン玉吹き機を提供する。【解決手段】シャボン玉吹き機は、機器本体の外殻、手に持つ柄部とシャボン玉出しユニットから構成され、シャボン玉出しユニットは機器本体の外殻と手に持つ柄部のカバー９内部に設置され、手に持つ柄部のカバー底部にシャボン液入れ用の空瓶２５を備える。シャボン玉出しユニットにはモーターギヤボックス、左キャップボックス、右キャップボックス、インペラ、モーター、シャボン玉出しＳ／Ａ１４、水インレットパイプとリターンパイプを有する。キャップボックス内部にはモーターギヤボックスがあり、インペラとモーターともキャップボックス内部に設置され、キャップボックスの上側はシャボン玉出しＳ／Ａとつなぎ、モーターの後ろに電動ギヤユニットが設置され、キャップボックスの下側に水インレットパイプとリターンパイプを連結する。【選択図】図１
0003230872.tif 000002
【実用新案登録請求の範囲】
【請求項１】
雪花型シャボン玉吹き機であって、機器本体の外殻、シャボン玉出しユニット、手に持つ柄部のカバー(9)とシャボン液入れ用の空瓶(25)から構成され、特徴として、機器本体の外殻は固定で手に持つ柄部のカバー(9)の上側に設置され、シャボン玉出しユニットは、機器本体の外殻と手に持つ柄部のカバー(9)内部に設置し、手に持つ柄部のカバー(9)の底部には、シャボン液入れ用の空瓶(25)があり、シャボン玉出しユニットは、モーターギヤボックス(8)、左キャップボックス(10)、右キャップボックス(11)、インペラ(12)、モーター(13)、シャボン玉出しS/A(14)、水インレットパイプ(17)、リターンパイプ(18)、ギヤA(19)、ギヤB(20)、ギヤC(21)とギヤD(22)から構成し、この内、左キャップボックス(10)と右キャップボックス(11)内部には、モーターギヤボックス(8)があり、インペラ(12)とモーター(13)ともモーターギヤボックス(8)内部に設置し、左キャップボックス(10)と右キャップボックス(11)の上側に、シャボン玉出し用のシャボン玉出しS/A(14)を接続し、モーター(13)の後ろ側にギヤA(19)、ギヤB(20)とギヤD(22)があり、ギヤA(19)、ギヤB(20)、ギヤC(21)とギヤD(22)ともかみ合い、左キャップボックス(10)と右キャップボックス(11)の下側に輸液用の水インレットパイプ(17)とリターンパイプ(18)を接続し、水インレットパイプ(17)とリターンパイプ(18)は、手に持つ柄部のカバー(9)を通し、下側にあるシャボン液入れ用の空瓶(25)とつながっていることを特徴とする雪花型シャボン玉吹き機。
【請求項２】
機器本体の外殻は、後ケース(1)、前ケース(2)、透明キャップ(3)、後足(4)と前足(5)に分けられ、この内、透明キャップ(3)は、前ケース(2)上にネジ締めで固定され、前ケース(2)は、後ケース(1)上にネジ締めで固定され、後足(4)と前足(5)は、手に持つ柄部のカバー(9)上にネジ締めで固定されることを特徴とする請求項１記載の雪花型シャボン玉吹き機。
【請求項３】
機器本体の外殻内部には、飾りに用いるPCB板(6)と、LED灯(7)が設けられていることを特徴とする請求項２に記載の雪花型シャボン玉吹き機。
【請求項４】
手に持つ柄部のカバー(9)の中部には、電池入れの電池倉(26)があり、電池倉(26)の上側には、シャボン玉吹き機を開閉するスイッチ(27)が設置されていることを特徴とする請求項２に記載の雪花型シャボン玉吹き機。
【請求項５】
水インレットパイプ(17)の底部にシャボン液入れ用の空瓶(25)をつなぎ、水インレットパイプ(17)の上端は、左キャップボックス(10)と右キャップボックス(11)を通し、シャボン玉出しS/A(14)とつながり、シャボン玉出しS/A(14)の底部にはリターンパイプ(18)を接続し、リターンパイプ(18)の底部はシャボン液入れ用の空瓶(25)とつながっていることを特徴とする請求項１に記載の雪花型シャボン玉吹き機。
【請求項６】
シャボン玉出しS/A(14)の下側に防水圏(15)があり、防水圏(15)はシャボン玉出しS/A(14)とキャップボックスを接続することを特徴とする請求項５に記載の雪花型シャボン玉吹き機。
【考案の詳細な説明】
【技術分野】
【０００１】
本実用新型シャボン玉吹き機の設計技術分野に及んで、具体的には、雪花型シャボン玉吹き機に関する。
【背景技術】
【０００２】
シャボン玉吹き機は、主に子供を対象とする遊びであり、現在市場には既存のシャボン玉吹き機の原理は大体同じで、外殻しか差異がありません。しかし、シャボン玉吹き機のシャボン玉出し効果が全然違います。既存のシャボン玉吹き機は、普通にシャボン玉出しが遅いし、シャボン玉数も少ないし、シャボン玉吹き効果が得がたいです。そのために、以上の問題を解決するために、雪花型シャボン玉吹き機が提供される必要があった。
【考案の概要】
【考案が解決しようとする課題】
【０００３】
既存の技術不足に対し、本考案の実施例の目的として、以上の背景技術中の問題を解決するため、雪花型シャボン玉吹き機を提供しなければならなかった。
【課題を解決するための手段】
【０００４】
上記の目的を達成するために、本実用新型は下記の技術方案を提供します。雪花型シャボン玉吹き機は、機器本体の外殻、シャボン玉出しユニット、手に持つ柄部のカバーとシャボン液入れ用の空瓶からなります。機器本体の外殻は固定で手に持つ柄部のカバー的上側に設置し、シャボン玉出しユニットは機器本体の外殻と手に持つ柄部のカバー内部に設置されます。
【０００５】
手に持つ柄部のカバー底部にはシャボン液入れ用の空瓶があり、シャボン玉出しユニットはモーターギヤボックス、左キャップボックス、右キャップボックス、インペラ、モーター、シャボン玉出しS/A、防水圏、PCB板、水インレットパイプ、リターンパイプ、ギヤA、ギヤB、ギヤCとギヤDから構成します。
【０００６】
この中、左キャップボックスと右キャップボックス内部にはモーターギヤボックスを設置し、インペラとモーターともモーターギヤボックス内部に設置され、左キャップボックスと右キャップボックスの上側にはシャボン玉出し用のシャボン玉出しS/Aと連結し、モーター後ろにはギヤA、ギヤBとギヤDがあり、ギヤA、ギヤB、ギヤCとギヤDともかみ合いします。
【０００７】
本考案の更なる方案として、説明する機器本体の外殻は後ケース、前ケース、透明キャップ、後足と前足に分けます。この中、透明キャップは前ケース上にネジ締めで固定され、前ケースは後ケース上にネジ締めで固定され、後足と前足とも手に持つ柄部のカバー上にネジ締めで固定されます。
【０００８】
本考案の更なる方案として、説明する機器本体の外殻内部には飾りに用いるPCB板とLED灯があります。
【０００９】
本考案の更なる方案として、所述手に持つ柄部のカバーの中部には電池入れ用の電池倉があり、電池倉の上側にシャボン玉吹き機を起動するスイッチを設置します。
【００１０】
本考案の更なる方案として、説明する水インレットパイプの底部にシャボン液入れ用の空瓶をつなぎ、水インレットパイプの上端は左キャップボックスと右キャップボックスを通し、シャボン玉出しS/Aとつながります。シャボン玉出しS/Aの底部にリターンパイプを接続し、リターンパイプの底部はシャボン液入れ用の空瓶とつながります。
【００１１】
本考案の更なる方案として、説明するシャボン玉出しS/Aの下側に防水圏があり、防水圏はシャボン玉出しS/Aとキャップボックスを接続します。
【００１２】
上記をまとめると、 本考案実施例と既存技術と比較し下記の有利効果が得られます。本考案は上向き直結式仕様のシャボン玉出しS/A及び新型のシャボン玉出し原理を通して、当該シャボン玉吹き機携帯及び使用には便利で、また地面上に置きますと、雪花噴射状態のシャボン玉出し効果ができて、シャボン玉吹き機のユーザー観賞体験をアップできます。
【００１３】
本考案の構造特徴と功效を分かりやすく説明するため、下記は具体的な実施例に合わせ、本考案の具体的な実現を詳しく説明します。
【図面の簡単な説明】
【００１４】
【図１】本考案の立体説明図。
【図２】本考案の斜め立体説明図。
【図３】本考案の実施例中機器本体の外殻の構造説明図。
【図４】本考案の実施例中のシャボン玉出しユニットの構造説明図。
【図５】本考案の実施例中の液体管路の構造説明図。
【考案を実施するための形態】
【００１５】
本考案の目的、技術方案及びメリットを分かりやすくするため、下記は添付図及び実施例に合わせ、本考案をより詳しく説明します。下記説明する具体的な実施例はただ本考案の解釈で、本考案を限定するのではないことを理解すべきです。
【００１６】
下記は具体的な実施例に合わせ、本考案の具体的な実現を詳しく説明します。
（実施例１）
図1〜図5を参照で、ある小シャボン玉吹き機は機器本体の外殻、シャボン玉出しユニット、手に持つ柄部のカバー9とシャボン液入れ用の空瓶25から構成します。この中、機器本体の外殻固定で手に持つ柄部のカバー9の上側に設置され、シャボン玉出しユニットは機器本体の外殻と手に持つ柄部のカバー9の内部に設置します。
【００１７】
手に持つ柄部のカバー9の底部にシャボン液入れ用の空瓶25があり、シャボン玉出しユニットはモーターギヤボックス8、左キャップボックス10、右キャップボックス11、インペラ12、モーター13、シャボン玉出しS/A14、防水圏15、PCB板16、水インレットパイプ17、リターンパイプ18、ギヤA19、ギヤB20、ギヤC21とギヤD22から構成します。
【００１８】
この中、左キャップボックス10と右キャップボックス11の内部にはモーターギヤボックス8があり、インペラ12とモーター13ともモーターギヤボックス8内部に設置します。左キャップボックス10と右キャップボックス11の上側にシャボン玉出し用のシャボン玉出しS/A14を接続し、モーター13の後ろ側にはギヤA19、ギヤB20とギヤD22があり、ギヤA19、ギヤB20、ギヤC21とギヤD22ともかみ合いします。
【００１９】
左キャップボックス10と右キャップボックス11の下側に輸液用の水インレットパイプ17とリターンパイプ18を接続し、水インレットパイプ17とリターンパイプ18は手に持つ柄部のカバー9を通し、下側にあるシャボン液入れ用の空瓶25とつながります。
【００２０】
機器本体の外殻は後ケース1、前ケース2、透明キャップ3、後足4と前足5から構成します。この中、透明キャップ3は前ケース2上にネジ締めで固定され、前ケース2は後ケース1上にネジ締めで固定され、後足4と前足5は手に持つ柄部のカバー9上にネジ締めで固定されます。
【００２１】
機器本体の外殻内部には飾りに用いるPCB板6とLED灯7があり、手に持つ柄部のカバー9の真ん中には電池入れの電池倉26があり、電池倉26の上側には開閉用スイッチ27が設置されます。 水インレットパイプ17の底部にシャボン液入れ用の空瓶25を接続し、水インレットパイプ17の上端は左キャップボックス10と右キャップボックス11を通して、シャボン玉出しS/A14とつながります。
【００２２】
シャボン玉出しS/A14の底部にリターンパイプ18を接続し、リターンパイプ18の底部にシャボン液入れ用の空瓶25を接続し、シャボン玉出しS/A14の下側には防水圏15があり、防水圏15はシャボン玉出しS/A14与キャップボックスを接続します。
【００２３】
本考案の作動原理は、当該シャボン玉吹き機を使う場合、在シャボン液入れ用の空瓶25の中にシャボン液を入れた後、手に持つ柄部のカバー9上のスイッチ27をONにして、シャボン玉吹き機はすぐ作動できます。
【００２４】
シャボン玉吹き機が起動した後、モーターギヤボックス8の後ろにあるギヤA19、ギヤB20、ギヤC21とギヤD22が動き途中で、シャボン液をシャボン液容器の中から吸い上げて、水インレットパイプ17を通してシャボン玉出しS/A14に入れます。同時、モーター13が回転時インペラ12を動作させ、発生した高速風が左キャップボックス10と右キャップボックス11からなる吸気管を通して七穴吸気S/A16に入ります。
【００２５】
それでシャボン玉出しS/A14に入れられるシャボン液は吸気S/A16から発生した風力作用で多くの密集する小シャボン玉を作り、風力の動きでシャボン玉出しS/A14から外に噴出します。こんな時、ユーザーはシャボン玉吹き機底部にあるシャボン液入れ用の空瓶25を地面上に水平に置いて、多級伝動ギヤにより回転スピードアップが大幅にシャボン液的供給量をアップします。
【００２６】
また、シャボン玉出しS/A14は垂直上向きの設計仕様で、モーターギヤボックス8から発生する風を上向き吹き出す時、シャボン玉出しS/A14を流れ通すシャボン玉が垂直風力の動きで上に高速噴射し、花火型噴射効果が得られます。電気量が使用中でだんだんなくなることによって、シャボン液は正常に吹き出さない時、自重及び下側にある七穴吸気件16の風力の影響でリターン現象が発生し、戻ったシャボン液はシャボン玉出しS/A14及び左キャップボックス10と右キャップボックス11から出てくる凹溝のところに溜まります。
【００２７】
防水圏15の追加は有効的にシャボン液の持続溜まりによる内部から出てくるリスクを回避できます。同時にリターンしたシャボン液は新規リターンパイプ18を通してふた24に流れ、最終的にシャボン液入れ用の空瓶25中に流れます。
【００２８】
本考案のメリットとして、上向き直結式仕様のシャボン玉出しS/A及び新型のシャボン玉出し原理を通して、当該シャボン玉吹き機携帯及び使用には便利で、また地面上に置きますと、雪花噴射状態のシャボン玉出し効果ができて、 シャボン玉吹き機のユーザー観賞体験をアップできます。
【００２９】
本考案紹介の表現の中、 理解必要なのは、 述語“左側”、“底部”、“右側”、“頂部”、“上”、“片側”、“内”など方向或は位置関係の表しは添付図の示す方向或は位置関係に基づいてます。本考案を説明しやすくして、表現簡略化をするためで、指定の装置或は部品は必ず特定な方向を持ち、特定な方向で構造と操作するのを指示或は暗示するのではないです。なので、本考案に対する制限を理解してはならないです。
【００３０】
また説明必要なのは、別の明確な規定と制限以外、述語“設置”、“取付”、“繋がり”、“連結”は広義に理解すべきです。例えば、固定連結でも脱着連結でもいい、 或は一体連結で機械連結とか電気つなぎとかです。または直結連結か媒介を通じて間接連結かです。二つの部品内部のつなぎ或は二つの部品の相互作用関係でもいいです。別の明確な規定がある以外、本分野にいる一般の技術員に対し、具体的な状況により上記述語を本考案中の具体的な意味を理解すればよいです。
【００３１】
以上は本考案のより良い実施例だけで、本考案の制限にはならないです。 本考案の精神と原則範囲内で修正することは切り替えと改善と同等で、全部は本考案の保護範囲内にあります。
【符号の説明】
【００３２】
1-後ケース、2-前ケース、3-透明キャップ、4-後足、5-前足、6-PCB板、7-LED灯、8-モーターギヤボックス、9-手に持つ柄部のカバー、10-左キャップボックス、11-右キャップボックス、12-インペラ、13-モーター、14-シャボン玉出しS/A、15-防水圏、16-七穴吸気S/A、17-水インレットパイプ、18-リターンパイプ、19-ギヤA、20-ギヤB、21-ギヤC、22-ギヤD、23-小円柱、24-ふた、25-シャボン液入れ用の空瓶、26-電池倉、27-スイッチ。
【図１】
0003230872.tif 000003
【図２】
0003230872.tif 000004
【図３】
0003230872.tif 000005
【図４】
0003230872.tif 000006
【図５】
0003230872.tif 000007